(57)【要約】      （修正有）【課題】発電及び充電機能を具えたＬＥＤ懐中電灯の提供。【解決手段】懐中電灯１の本体１０内部に基板２０が設けられ、該本体が上下のケース１１、１２で組成され、該基板に発電モータ２１、回路板２２、ボタン型充電式リチウム電池２５、複数のＬＥＤランプ２８、複数の高歯数比の歯車３０及びフライホイール３４が設置され、該本体の前方の複数のＬＥＤランプに対応する位置にリフレクタ１９と透明カバー１７が設けられ、該本体の上ケースにスイッチボタン２７が設けられ、該本体の下ケースに変速歯車セットを回転させるクランクセット４０が設けられ、該クランクセットが折り畳み可能で、操作時に、クランクセットにより歯車とフライホイールが高速回転し、発電モータに電力を発生させてボタン型充電式リチウム電池に充電し、さらにボタン型充電式リチウム電池がＬＥＤランプの発光に必要な電力を提供する。【選択図】図６
0003101780.tif 000002
【実用新案登録請求の範囲】
【請求項１】
発電及び充電機能を具えたＬＥＤ懐中電灯であり、該懐中電灯は、本体、基板、発電モータ、ボタン型充電式リチウム電池、スイッチ、ＬＥＤランプ、透明ランプカバーで組成され、該本体が上ケースと下ケースを具え、該本体の前方に開口が設けられて該開口に透明ランプカバーが取り付けられ、該本体内部に基板が設けられ、該基板に発電モータと回路板が設置され、該発電モータのロータが基板を貫通して底面に突出し、該ロータに小歯車が設置され、該回路板にボタン型充電式リチウム電池、スイッチ及び必要な電子部品が設置され、本体のスイッチに対応する位置にスイッチボタンが設置され、該基板の透明ランプカバーに対応する位置にＬＥＤランプが設置され、該基板の底面と本体との間に変速構造が設けられ、該変速構造は複数の高歯数比の歯車で組成され、複数の高歯数比の歯車が小歯車と相互に噛み合い伝動し、該変速構造のうちの一つの歯車が本体外部のクランクセットに固定され、変速構造を駆動して発電モータに発電させてボタン型充電式リチウム電池に充電してＬＥＤランプの発光に必要な電力を供給させる、発電及び充電機能を具えたＬＥＤ懐中電灯において、
変速構造と発電モータの間にフライホイールが設けられ、該フライホイールの小歯車と変速構造の隣り合う歯車が噛み合い、フライホイールの大歯車と発電モータのロータの歯車が噛み合い、該フライホイールの大歯車の内部に凹溝が設けられて、該凹溝にウエイトリングが嵌め込まれたことを特徴とする、発電及び充電機能を具えたＬＥＤ懐中電灯。
【請求項２】
請求項１記載の発電及び充電機能を具えたＬＥＤ懐中電灯において、本体の上ケースと下ケースの周囲に対応する凸縁と凹溝が設けられて該凸縁と凹溝が嵌合され一体に固定されたことを特徴とする、発電及び充電機能を具えたＬＥＤ懐中電灯。
【請求項３】
請求項１記載の発電及び充電機能を具えたＬＥＤ懐中電灯において、クランクセットの回転盤と変速構造の歯車が螺子止めされ、回転盤に回転アームが枢設され、回転アームが引き起しと折り畳み可能とされ、回転アームの末端に自由回転する回転つまみが設けられたことを特徴とする、発電及び充電機能を具えたＬＥＤ懐中電灯。
【考案の詳細な説明】
【技術分野】
【０００１】
本考案は一種の発電及び充電機能を具えたＬＥＤ懐中電灯に係り、特に、発電機のロータの歯車と変速構造の歯車の間にフライホイールが設けられ、該フライホイールに高歯数比が採用され、またウエイトリングが設けられ、その慣性の遠心力作用が増され、操作の力と時間を減らすことができ、且つボタン型充電式リチウム電池を蓄電用に使用し、快速に充電でき、照明は複数のＬＥＤランプとカバーを使用して、輝度が高められ、並びに本体の上ケースと下ケース周囲に防水作用の凸縁と凹溝が設けられ、水の侵入による損壊が防止されて屋外での使用に適合するものに関する。
【背景技術】
【０００２】
図１から図３は特許文献１に記載の多機能発電懐中電灯であり、それは、本体５０と回転盤５７を具え、該本体５０にスイッチ５１が設けられ、該本体５０の前側にカバー５２が設けられ、カバー５２が本体５０に螺合され、また本体５０内に発電機５３が設けられ、該発電機５３のロータ５４が軸で変速箱５５に設置され、この変速箱５５の軸５６が外向きに延伸されて本体５０の一側に設けられ、該回転盤５７はロータ５４の軸５６が内側より挿入され、該回転盤５７に伝動棒５７が設けられ、伝動棒５８が前述の軸５６に結合され、伝動棒５８がさらに使用者の握持に供される側方棒５９に接続され、側方棒５９により回転盤５７が回されることでロータ５４が回転し、ロータ５４とコイルが巻かれたステータ６０の相互運転によりコイルの二端より電気エネルギーがバルブ６１及び又はラジオ受信機６２に出力される。
【０００３】
【特許文献１】台湾実用新案公告第５３４２６９号明細書
【考案の開示】
【考案が解決しようとする課題】
【０００４】
上述の周知の多機能発電懐中電灯は、以下のような克服すべき問題と欠点を有している。
１．上述の多機能発電懐中電灯は、発電機のロータに変速箱と回転盤が設けられ、該回転盤に伝動ロッドと側方ロッドが設けられ、使用者が回して発電するのに供されるが、変速箱にフライホイール構造が設けられていないため、操作上、相当に力と時間がかかる。
２．上述の多機能発電懐中電灯は、二つの充電式のニッケル電池を使用し、長時間側方ロッドを回さなければ充電飽和が得られず、続けて１分間回しても１５分間しか点灯できない。
３．上述の多機能発電懐中電灯は、使用するバルブがタングステンバルブであり、ランプ自身に特殊な反射作用がないため、照明時の輝度が足らない。
４．上述の多機能発電懐中電灯は、本体に止水構造がなく、水が本体内部に侵入して回路を損壊しやすく、屋外での使用に不適合である。
【０００５】
ゆえに、上述の周知の技術の問題と欠点を解決するため、本考案は一種の発電及び充電機能を具えたＬＥＤ懐中電灯を提供する。それは、基板上に、高歯数比の複数の歯車で組成された変速構造が設けられ、及び基板上に発電機が設けられ、該発電機のロータに歯車が設けられ、また該発電機のロータの歯車と変速構造の歯車の間にフライホイールが設けられ、該フライホイールに高歯数比が採用され、フライホイールの小歯車と変速構造の歯車が噛み合い、フライホイールの大歯車が発電機のロータの歯車と噛み合い、該フライホイールの大歯車の内部にウエイトリングが設けられ、フライホイールが変速構造の歯車に駆動されて回転する時、フライホイールが慣性の遠心力作用を発生し、クランクセットを回す時、力と時間を節約できる。
【０００６】
本考案はまた、基板上にボタン型充電式リチウム電池が設けられ、該ボタン型充電式リチウム電池が発電機と接続され、発電機の発生する電力を該ボタン型充電式リチウム電池に充電でき、該ボタン型充電式リチウム電池の蓄電容量は比較的小さく、ゆえに非常に速く充電飽和に至り、クランクを一分間回せば、ランプを３０〜４０分間連続点灯させることができる。
【０００７】
本考案はさらに、基板の前方に複数のＬＥＤランプが設けられ、且つ本体前方にリフレクタと透明カバーが設けられ、ＬＥＤランプはタングステンバルブに較べて節電でき、また光線がリフレクタに屈折された後に集光効果を発生するため、照明の輝度が増す。
【０００８】
本考案はまた、本体の上ケースと下ケース周囲に相互に嵌合する凸縁と凹溝が設けられ、該凹溝に内と外の二本の防水壁が設けられて、有効に本体内部への水の侵入を防止し、防水効果が良好で、屋外での使用に非常に適合する。
【課題を解決するための手段】
【０００９】
請求項１の考案は、発電及び充電機能を具えたＬＥＤ懐中電灯であり、該懐中電灯は、本体、基板、発電モータ、ボタン型充電式リチウム電池、スイッチ、ＬＥＤランプ、透明ランプカバーで組成され、該本体が上ケースと下ケースを具え、該本体の前方に開口が設けられて該開口に透明ランプカバーが取り付けられ、該本体内部に基板が設けられ、該基板に発電モータと回路板が設置され、該発電モータのロータが基板を貫通して底面に突出し、該ロータに小歯車が設置され、該回路板にボタン型充電式リチウム電池、スイッチ及び必要な電子部品が設置され、本体のスイッチに対応する位置にスイッチボタンが設置され、該基板の透明ランプカバーに対応する位置にＬＥＤランプが設置され、該基板の底面と本体との間に変速構造が設けられ、該変速構造は複数の高歯数比の歯車で組成され、複数の高歯数比の歯車が小歯車と相互に噛み合い伝動し、該変速構造のうちの一つの歯車が本体外部のクランクセットに固定され、変速構造を駆動して発電モータに発電させてボタン型充電式リチウム電池に充電してＬＥＤランプの発光に必要な電力を供給させる、発電及び充電機能を具えたＬＥＤ懐中電灯において、
変速構造と発電モータの間にフライホイールが設けられ、該フライホイールの小歯車と変速構造の隣り合う歯車が噛み合い、フライホイールの大歯車と発電モータのロータの歯車が噛み合い、該フライホイールの大歯車の内部に凹溝が設けられて、該凹溝にウエイトリングが嵌め込まれたことを特徴とする、発電及び充電機能を具えたＬＥＤ懐中電灯としている。
請求項２の考案は、請求項１記載の発電及び充電機能を具えたＬＥＤ懐中電灯において、本体の上ケースと下ケースの周囲に対応する凸縁と凹溝が設けられて該凸縁と凹溝が嵌合され一体に固定されたことを特徴とする、発電及び充電機能を具えたＬＥＤ懐中電灯としている。
請求項３の考案は、請求項１記載の発電及び充電機能を具えたＬＥＤ懐中電灯において、クランクセットの回転盤と変速構造の歯車が螺子止めされ、回転盤に回転アームが枢設され、回転アームが引き起しと折り畳み可能とされ、回転アームの末端に自由回転する回転つまみが設けられたことを特徴とする、発電及び充電機能を具えたＬＥＤ懐中電灯としている。
【考案の効果】
【００１０】
本考案の発電及び充電機能を具えたＬＥＤ懐中電灯は、発電機のロータの歯車と変速構造の歯車の間にフライホイールが設けられ、該フライホイールに高歯数比が採用され、またウエイトリングが設けられ、その慣性の遠心力作用が増され、操作の力と時間を減らすことができ、且つボタン型充電式リチウム電池を蓄電用に使用し、快速に充電でき、照明は複数のＬＥＤランプとカバーを使用して、輝度が高められ、並びに本体の上ケースと下ケース周囲に防水作用の凸縁と凹溝が設けられ、水の侵入による損壊が防止されて屋外での使用に適合する。
【考案を実施するための最良の形態】
【００１１】
本考案の発電及び充電機能を具えたＬＥＤ懐中電灯は、図４から図８に示されるように、懐中電灯１の本体１０が上ケース１１と下ケース１２で組成され、該上ケース１１の周囲に凸縁１３が設けられ、該下ケース１２の周囲に凹溝１２が設けられ、該凸縁１３が該凹溝１２に嵌入可能とされ、該本体１０の前方に開口１５と位置決め凸縁１６が設けられ、開口１５中に透明ランプカバー１７が取り付けられ、該透明ランプカバー１７の外部の位置決め凸縁１６に対応する部分に位置決め凹溝１８が設けられ、位置決め凸縁１６が位置決め凹溝１８中に嵌入可能とされ、透明ランプカバー１７内部にリフレクタ１９が取り付けられる該本体１０内部に基板２０が設けられ、該基板２０に発電モータ２１と回路板２２が設けられ、該発電モータ２１のロータ２３は基板２０を貫通して底面より突出し、且つ小歯車２４が設けられ、該回路板２２にボタン型充電式リチウム電池２５、スイッチ２６及びその他の電子部品が設けられ、該本体１０の上ケース１１のスイッチ２６に対応する位置にスイッチボタン２７が設けられ、該スイッチボタン２７が使用者による押圧に供され、基板２０前方にリフレクタ２７に対応する位置に複数のＬＥＤランプ２８が設けられ、並びに電線２９で発電モータ２１、ボタン型充電式リチウム電池２５、スイッチ２６、ＬＥＤランプ２８が接続され、基板２０の底面と下ケース１２の間に変速構造３０が設けられ、該変速構造３０は複数の高歯数比の歯車３１、３２、３３及びフライホイール３４で組成されている。複数の高歯数比の歯車３１、３２、３３が小歯車３５と噛み合い伝動し、フライホイール３４の小歯車３６と変速構造３０の歯車３３が噛み合い、フライホイール３４の大歯車３７が発電モータ２１のロータ２３の歯車２４と噛み合い、フライホイール３４の大歯車３７内部に凹溝３８が設けられて、ウエイトリング３９が埋め込まれ、並びにネジＰでフライホイール３４に固定されている。該変速構造３０の歯車３１はネジＰで下ケース１２外部のクランクセット４０の回転盤４１に固定され、該回転盤４１にピンＱで回転アーム４２が設けられ、且つ回転アーム４２の末端に３６０度回転可能な回転つまみ４３が設けられ、使用時には回転アーム４２と回転つまみ４３が上に起こされ、不使用時には回転アーム４２が下向きに折り畳まれる。最後にネジＰで本体１０の上ケース１１と下ケース１２が固定され一体とされる。
【００１２】
以上の各部品、構造により本考案の発電及び充電機能を具えたＬＥＤ懐中電灯が構成される。図９から図１１に示されるように、実際の応用では、使用者はクランクセット４０の回転アーム４２と回転つまみ４３を上に起こして１８０度の状態となせば、回転つまみ４３を続けて回して本体１０内部の変速構造３０を介して発電モータ２１に続けて発電させることができ、その電力をボタン型充電式リチウム電池２５に充電できる。この時、スイッチボタン２７を押せば、一つ或いは全部のＬＥＤランプ２８を発光させられる。
【００１３】
以上の本考案の発電及び充電機能を具えたＬＥＤ懐中電灯は、その製品を反復して試験したところ、確実に予期された作用効果を達成することが実証された。本考案は新規性と進歩性、及び産業上の利用価値を具備する考案であり、実用新案登録の要件を具備している。
【図面の簡単な説明】
【００１４】
【図１】特許文献１の斜視図である。
【図２】特許文献１の分解図である。
【図３】特許文献１の発電機の立体図である。
【図４】本考案の斜視図である。
【図５】本考案の背面方向からの斜視図である。
【図６】本考案の分解斜視図である。
【図７】本考案の側面断面図である。
【図８】本考案の平面組合せ図である。
【図９】本考案の変速構造伝動時の平面図である。
【図１０】本考案の変速構造噛合時の立体図である。
【図１１】本考案のクランクセット回転時の立体図である。
【符号の説明】
【００１５】
５０  本体                        ５１  スイッチ
５２  カバー                      ５３  発電機
５４  ロータ                      ５５  変速箱
５６  軸                          ５７  回転盤
５８  伝動ロッド                  ５９  側方ロッド
６０  ステータ                    ６１  バルブ
６２  ラジオ受信機
１  懐中電灯
１０  本体                        １１  上ケース
１２  下ケース                    １３  凸縁
１４  凹溝                        １５  開口
１６  位置決め凸縁                １７  透明ランプカバー
１８  位置決め凹溝                １９  リフレクタ
２０  基板                        ２１  発電モータ
２２  回路板                      ２３  ロータ
２４  小歯車                      ２５  ボタン型充電式リチウム電池
２６  スイッチ                    ２７  スイッチボタン
２８  ＬＥＤランプ                ２９  電線
３０  変速構造                    ３１  歯車
３２  歯車                        ３３  歯車
３４  フライホイール              ３５  小歯車
３６  小歯車                      ３７  大歯車
３８  凹溝                        ３９  ウエイトリング
４０  クランクセット              ４１  回転盤
４２  回転アーム                  ４３  回転つまみ
Ｐ  ネジ                          Ｑ  ピン
【図１】
0003101780.tif 000003
【図２】
0003101780.tif 000004
【図３】
0003101780.tif 000005
【図４】
0003101780.tif 000006
【図５】
0003101780.tif 000007
【図６】
0003101780.tif 000008
【図７】
0003101780.tif 000009
【図８】
0003101780.tif 000010
【図９】
0003101780.tif 000011
【図１０】
0003101780.tif 000012
【図１１】
0003101780.tif 000013